(57)【要約】【課題】簡易な構造で且つ従来と同様の占有体積により発光する、省電力且つ長寿命な発光灯を提供する。【解決手段】Ｔ５型の蛍光管２と、蛍光管２より太い内径を有する外装管を構成する第１外装部材１であって、縦割り円柱形状を有し且つ蛍光管２からの光を透過する第１外装部材１と、第１外装部材１と組み合わされて外装管を構成する第２外装部材であって、第１外装部材１の縦割り円柱形状に対応した縦割り円柱形状を有し且つ金属製の第２外装部材３と、第１外装部材１と第２外装部材３により構成される外装管の内側に蛍光管２が位置するように、蛍光管２を保待する保持部と、蛍光管２の発光を制御する制御回路と、を備える。【選択図】図１
2015201451.tif 000002
【特許請求の範囲】
【請求項１】
発光管と、
当該発光管より太い内径を有する外装管を構成する第１外装部材であって、縦割り円柱形状を有し且つ当該発光管からの光を透過する第１外装部材と、
前記第１外装部材と組み合わされて前記外装管を構成する第２外装部材であって、前記第１外装部材の縦割り円柱形状に対応した縦割り円柱形状を有し且つ予め設定された強度を有する第２外装部材と、
前記第１外装部材と前記第２外装部材により構成される前記外装管の内側に前記発光管が位置するように、当該発光管を保待する保持部材と、
前記発光管の発光を制御する制御手段と、
を備えることを特徴とする発光灯。
【請求項２】
請求項１に記載の発光灯において、
前記第２外装部材が中空構造を有することを特徴とする発光灯。
【請求項３】
請求項２に記載の発光灯において、
前記中空構造により形成される中空部内に前記制御手段が収納されていることを特徴とする発光灯。
【請求項４】
請求項１から請求項３のいずれか一項に記載の発光灯において、
前記第１外装部材が耐熱性樹脂材料により形成されていることを特徴とする発光灯。
【請求項５】
請求項１から請求項４のいずれか一項に記載の発光灯において、
前記発光管と前記第２外装部材との間の当該発光管の長手方向に延在すると共に、前記光を前記第１外装部材に向けて反射する反射面を備えた反射部材を更に備え、
当該反射面が導電性材料により形成され且つ接地されていることを特徴とする発光灯。
【請求項６】
請求項５に記載の発光灯において、
前記反射面による前記光の反射方向を変更する変更手段を更に備えることを特徴とする発光灯。
【請求項７】
請求項１から請求項６のいずれか一項に記載の発光灯において、
前記発光管がＴ５型の蛍光管であり、前記外装管がＴ８型の蛍光管と同一の外径を有することを特徴とする発光灯。
【発明の詳細な説明】
【技術分野】
【０００１】
本発明は、発光灯の技術分野に属する。より詳細には、現在一般化している蛍光灯等に代わり得る発光灯の技術分野に属する。
【背景技術】
【０００２】
現在、照明器具の一種としての蛍光灯が、家庭用及び産業用として極めて広く一般化している。ここで、現在我が国で一般化している蛍光灯としては、「Ｔ８型」と言われる、直径が約２６ミリメートルの蛍光灯が多いが、蛍光灯にはこの他に、Ｔ８型よりも細いＴ５型（直径約１６ミリメートル）の蛍光灯もある。このＴ５型の蛍光灯の場合、管径が細いこともあり、消費エネルギーはＴ８型の蛍光灯のそれよりも少ない。
【０００３】
一方、近年の省エネルギー推進の傾向に沿うとすると、現在使用されているＴ８型の取付装置等をそのまま活かしつつ、Ｔ５型の蛍光灯を取り付けて使用することができれば、使用されている蛍光灯の数の多さも相まって、省エネルギーへの貢献度も大きいと考えられる。このような考えの元に検討された先行技術として、例えば下記特許文献１及び特許文敵２に記載されているものがある。
【先行技術文献】
【特許文献】
【０００４】
【特許文献１】実用新案登録第３１５４４７５号公報
【特許文献２】実用新案登録第３１５３２９５号公報
【発明の概要】
【発明が解決しようとする課題】
【０００５】
しかしながら、上記特許文献１及び特許文献２に記載された技術によると、その実現のためには、かなり大がかりな器具が必要となり、また取り付け後の占有体積も拡大してしまうという簡題点があった。
【０００６】
そこで本発明は、上記の各問題点に鑑みて為されたもので、その課題の一例は、簡易な構造で且つ従来と同様の占有体積により発光する、省電力且つ長寿命な発光灯を提供することにある。
【課題を解決するための手段】
【０００７】
上記の課題を解決するために、請求項１に記載の発明は、蛍光灯等の発光管と、当該発光管より太い内径を有する外装管を構成する第１外装部材であって、縦割り円柱形状を有し且つ当該発光管からの光を透過する第１外装部材と、前記第１外装部材と組み合わされて前記外装管を構成する第２外装部材であって、前記第１外装部材の縦割り円柱形状に対応した縦割り円柱形状を有し且つ予め設定された強度を有する第２外装部材と、前記第１外装部材と前記第２外装部材により構成される前記外装管の内側に前記発光管が位置するように、当該発光管を保待する保持部等の保持部材と、前記発光管の発光を制御する制御回路等の制御手段と、を備える。
【０００８】
請求項１に記載の発明によれば、それぞれに縦割り円柱形状を有する第１外装部材と第２外装部材とにより構成される外装管の内側に位置するように発光管が保持されており、第１外装部材が発光管からの光を透過すると共に第２外装部材が予め設定された強度を有する。よって、例えば撓み等の経年変化による外装管の変形を防止しつつ、外装管より細い発光管を内部に位置させて発光させることで、簡易な構造で且つ従来と同様の占有体積により発光する、省電力且つ長寿命な発光灯を得ることができる。
【０００９】
上記の課題を解決するために、請求項２に記載の発明は、請求項１に記載の発光灯において、前記第２外装部材が中空構造を有する。
【００１０】
請求項２に記載の発明によれば、請求項１に記載の発明の作用に加えて、第２外装部材が中空構造を有するので、外装管の断面全体としてみた場合に第１外装部材よりも第２外装部材が厚くなり且つ第２外装部材が予め設定された強度を有することから、より長期間変形し難い発光灯を得ることができる。
【００１１】
上記の課題を解決するために、請求項３に記載の発明は、請求項２に記載の発光灯において、前記中空構造により形成される中空部内に前記制御手段が収納されている。
【００１２】
請求項３に記載の発明によれば、請求項２に記載の発明の作用に加えて、第２外装部材の中空構造により形成される中空部内に発光制御用の制御手段が収納されているので、発光灯の発光による制御手段に対する雑音等を効果的に抑制することができる。
【００１３】
上記の課題を解決するために、請求項４に記載の発明は、請求項１から請求項３のいずれか一項に記載の発光灯において、前記第１外装部材が耐熱性樹脂材料により形成されている。
【００１４】
請求項４に記載の発明によれば、請求項１から請求項３のいずれか一項に記載の発明の作用に加えて、第１外装部材が耐熱性樹脂材料により形成されているので、第２外装部材が予め設定された強度を有することと相まって、例えばガラス製の従来の管に比して、落下等による破損の際に破片が飛散すること等を防止できる。
【００１５】
上記の課題を解決するために、請求項５に記載の発明は、請求項１から請求項４のいずれか一項に記載の発光灯において、前記発光管と前記第２外装部材との間の当該発光管の長手方向に延在すると共に、前記光を前記第１外装部材に向けて反射する反射面を備えた反射シート等の反射部材を更に備え、当該反射面が導電性材料により形成され且つ接地されている。
【００１６】
請求項５に記載の発明によれば、請求項１から請求項４のいずれ一項に記載の発明の作用に加えて、発光管と第２外装部材との間の発光管の長手方向に、導電性材料により形成され且つ発光管からの光を反射し、更に接地された反射面を備える反射部材を延在させるので、発光灯としての光量を増大させつつ、当該発光による雑音等を抑制することができる。また外装管自体の変形が防止されることから、反射部材による雑音等の抑制効果を長期間持続させることができる。
【００１７】
上記の課題を解決するために、請求項６に記載の発明は、請求項５に記載の発光灯において、前記反射面による前記光の反射方向を変更するスイーベルフック等の変更手段を更に備える。
【００１８】
請求項６に記載の発明によれば、請求項４に記載の発明の作用に加えて、反射面による光の反射方向が変更できるので、発光灯の取り付け状態に応じて最適な光量を得ることができる。
【００１９】
上記の課題を解決するために、請求項７に記載の発明は、請求項１から請求項６のいずれか一項に記載の発光灯において、前記発光管がＴ５型の蛍光管であり、前記外装管がＴ８型の蛍光管と同一の外径を有する。
【００２０】
請求項７に記載の発明によれば、請求項１から請求項６のいずれか一項に記載の発明の作用に加えて、発光管がＴ５型の蛍光管であり、外装管がＴ８型の蛍光管と同一の外形を有するので、従来のＴ８型の蛍光管に比して省エネルギーを実現しつつ、当該Ｔ８型の蛍光管と同様の占有体積で使用することができる。
【発明の効果】
【００２１】
本発明によれば、それぞれ縦割り円柱形状を有する第１外装部材と第２外装部材とにより構成される外装管の内側に位置するように発光管が保持されており、第１外装部材が発光管からの光を透過すると共に第２外装部材が予め設定された強度を有する。
【００２２】
従って、例えば撓み等の経年変化による外装管の変形を防止しつつ、外装管より細い発光管を内部に位置させて発光させることで、簡易な構造で且つ従来と同様の占有体積により発光する、省電力且つ長寿命な発灯を得ることができる。
【図面の簡単な説明】
【００２３】
【図１】実施形態に係る蛍光灯の構造を示す外観図であり、（ａ）は側面外観図であり、（ｂ）は上面外観図であり、（ｃ）は下面外観図である。
【図２】実施形態に係る蛍光灯の構造を示す内部透視図であり、（ａ）は側面内部透視図であり、（ｂ）は図１（ａ）及び図２（ａ）におけるα一α’断面図である。
【図３】実施形態に係る蛍光灯における制御回路を示す回路図である。
【図４】実施形態に係る蛍光灯の分解斜視図である。
【図５】実施形態に係る蛍光灯の取り付け状態を例示する図であり、（ａ）は当該取り付け状態の第１例を示す図であり、（ｂ）は当該取り付け状態の第２例を示す図である。
【発明を実施するための形態】
【００２４】
次に、本発明に係る実施形態及び変形形態について、図面に基づいて説明する。なお以下に説明する実施形態及び変形形態は、直管型の蛍光灯に対して本発明を適用した場合の実施形態及び変形形態である。
【００２５】
（Ｉ）蛍光灯の実施形態
初めに実施形態に係る蛍光灯について、図１乃至図５を用いて説明する。なお、図１は実施形態に係る蛍光灯の構造を示す外観図であり、図２は当該蛍光灯の構造を示す内部透視図であり、図３は当該蛍光灯における制御回路を示す回路図であり、図４は当該蛍光灯の分解斜視図であり、図５は当該蛍光灯の取り付け状態を例示する図である。
【００２６】
図１に側面、上面及び下面それぞれの外観図を示すように、実施形態に係る蛍光灯ＬＴは、外観上は従来一般化しでいるＴ８型の蛍光灯と略同一の形状をしている。即ち実施形態に係る蛍光灯ＬＴは、例えばポリカーボネート又はアクリル等の耐熱性且つ透明の樹脂材料からなる第１外装部材１と、第１外装部材１と嵌合されることにより実施形態に係る外装管を構成し且つ金属製の第２外装部材３と、当該外装管の両端において当該外装管に対して後述の蛍光管を保持する後述の保持部をそれぞれに内包するカバー１０及びカバー１２と、後述するダミーピン１５及びダミーピン１６並びに電力入力ピン２０及び電力入力ピン２１をそれぞれ保持する外部カバー１３及び外部カバー１１と、後述する外部交流電源に接続される電力入力ピン２０及び電力入力ピン２１と、蛍光灯ＬＴを後述する取付装置に対して保持するためのみに用いられ、電気的には他の部材から絶縁されているダミーピン１５及びダミーピン１６と、により構成されている。ここで上記実施彩態に係る外装管を、以下単に「外装管」と称する。
【００２７】
以上の構成において、第１外装部材１と第２外装部材３とが嵌合されてなる外装管の外径及び全長は、上記Ｔ８型の蛍光灯の外径及び全長と同一である。そして第１外装部材１は図１に示すように、全体としては縦割り円柱形状（断面半円形状）を有し、蛍光管２の長さに相当する長さを有している。
【００２８】
これに対し、第１外装部材１に嵌合することで外装管を構成する第２外装部材３は、外表面の外観としては第１外装部材１と同様の縦割り円柱形状をしている。またその断面は図２（ｂ）に示すように、外殻３１と内殻３２に囲まれた中空部ＣＢを有する三日月形状をしている。更に第２外装部材３の外殻３１の外表面には、第２外装部材３（ひいては外装管全体）としての強度を維持すると共に経年による変形（例えば撓み等）を防止する溝３０が、その長手方向に形成されている。なお、第２外装部材３を形成する金属材料の例としては、アルミニウム、鉄又は銅等が挙げられ得るが、コスト、整形の容易性及び強度等を考慮すると、アルミニウムを用いて第２外装部材３を形成することが好ましい。
【００２９】
一方外部カバー１３は、ダミーピン１５及びダミーピン１６をカバー１２に固定する機能を有している。更に外部カバー１１は、電力入力ピン２０及び電力入力ピン２１をカバー１０に固定する機能と、電力入力ピン２０及び電力入力ピン２１を介して外部交流電源と実施形態に係る制御回路とを接続する後述の接続線を通す機能と、を合わせ有している。
【００３０】
次に、実施形態に係る蛍光灯ＬＴの内部構造等について、図１及び図２を用いて説明する。図２に示すように、外装管の内部には、当該外装管の内径よりも細い、例えばいわゆるＴ５型の蛍光管２が保持されている。このＴ５型の蛍光管２は上述したように、消費エネルギーが従来のＴ８型の蛍光灯よりも少ない。この蛍光管２が本発明に係る「発光灯」の一例に相当する。
【００３１】
そして当該蛍光管２の発光を制御するための例えばインバータ式の制御回路ＩＶが、図２（ａ）に示すホルダＨＤに収納された状態で、第２外装部材３の外郭３１と内殼３２との間の上記中空部ＣＢ内のカバー１０側の位置に収納されている。この制御回路ＩＶの詳細については、後ほど詳述する。また制御回路ＩＶに対する電力の供給は、後ほど図３の回路図を用いて示される通り、上記電力入力ピン２０及び電力入力ピン２１のみを介して行われる。これに対してダミーピン１５及びダミーピン１６はそれぞれ、制御回路ＩＶに対しては電気的に絶縁されている。ここで、上記制御回路ＩＶが本発明に係る「制御手段」の一例に相当する。
【００３２】
一方、第２外装部材３の内殻３２の内側の面（蛍光管２に対向する面）には、図１（ｃ）及び図２（ｂ）に示すように、蛍光管２に沿った当該外装管の長手方向に、蛍光管２からの発光を反射する反射面を備えた反射シート４が延在されている。この反射シート４は図２（ｂ）に示すように、上記内殼３２の内側の面に例えば貼り付けられており、その蛍光管２に対向する面に上記反射面が形成されている。このとき反射シート４自体は予め設定された厚さの耐熱シートにより形成されている。そして上記反射面は、高い反射率を有する例えば銀系又はアルミ系等の金属材料を、反射シート４の蛍光管２に対向する面に例えば蒸着することにより形成されている。この反射面を含む反射シート４は、後ほど図３及び図４に示すように、例えば制御回路ＩＶ並びに電力入力ピン２０及び電力入力ピン２１を介して接地されている。この場合の接地方法としては、いわゆるアース接地の他、いわゆるフレームグラウンド又はシグナルグラウンド等の手法を用いることができる。このとき上記反射シート４が、本発明に係る「反射部材」の一例に相当する。
【００３３】
他方図２（ｂ）に例示するように、第２外装部材３の外殻３１と内殻３２との間の中空部ＣＢのダミーピン１５及びダミーピン１６側（図２（ａ）参照）には、上記制御回路ＩＶが収納されている側と反対側の蛍光管２の端子と、当該制御回路ＩＶと、を接続する接続線Ｗ１及び接続線Ｗ２が、いわゆるハーネスの態様を為して通されている。これら接続線Ｗ１等についても、後ほど詳述する。なお、蛍光管２の周方向におけるどの程度の範囲について、それに対向する反射シート４を設けるかについては、例えば、外装管の内周の長さの１０%乃至７０%程度の範囲が反射シート４（換言すれば、その反射面）の範囲となるのが好ましい（図２（ｂ）参照）。
【００３４】
次に、上記制御回路ＩＶの構成について、図３に示す回路図及び図２（ａ）を用いて説明する。図２（ａ）及び図３に示すように、例えば交流１００ボルト又は交流２００ボルトである外部交流電源ＡＣに電力入力ピン２０及び電力入力ピン２１を介して接続されている制御回路ＩＶは、上記ホルダＨＤに収納された状態で第２外装部材３の中空部ＣＢ内に収納されている。また制御回路ＩＶはダミーピン１５及びダミーピン１６からは絶縁されている。そして制御回路ＩＶと、当該制御回路ＩＶが収納されている中空部ＣＢの側と反対側の蛍光管２の端子とは、図２（ｂ）に例示する中空部ＣＢに通された接続線Ｗ１及び接続線Ｗ２により電気的に接続されている。
【００３５】
より具体的に制御回路ＩＶは、ヒューズＦ１と、コンデンサＣ１、コンデンサＣ２及びコンデンサＣ３と、サージアブソーバＺと、抵抗Ｒ１、抵抗Ｒ２及び抵抗Ｒ１７と、ダイオードＤ１、ダイオードＤ２及びダイオードＤ３と、リアクタンスＬ１と、四つのダイオードからなる全波整流型のダイオードブリッジＢＤ１と、ダイオードＤ３の一端とコンデンサＣ３の一端のそれぞれに接続されたコンデンサＣ４及びコンデンサＣ５と、制御ＩＣ（Integrated Circuit）５５と、抵抗Ｒ３、抵抗Ｒ４、抵抗Ｒ５、抵抗Ｒ６、抵抗Ｒ７、抵抗Ｒ８、抵抗Ｒ９、抵抗Ｒ１０、抵抗Ｒ１１、抵抗Ｒ１２、抵抗Ｒ１３、抵抗Ｒ１４、抵抗Ｒ１５及び抵抗Ｒ１６と、コンデンサＣ６、コンデンサＣ７、コンデンサＣ８、コンデンサＣ９、コンデンサＣ１０、コンデンサＣ１１、コンデンサＣ１２、コンデンサＣ１３及びコンデンサＣ１４と、ダイオードＤ４と、ツェナーダイオードＤＺと、リアクタンスＬ２及びリアクタンスＬ３と、スイッチング素子Ｑ１及びスイッチング素子Ｑ２と、が、図３に示す態様で接続されて構成されている。なお図３においては、その記載の都合上、図面の上下に分けて制御回路ＩＶを記載しているが、実際の制御回路ＩＶは図４に例示するように、長方形の一枚の基板上に組み立てられ、それがホルダＨＤに収納されて中空部ＣＢに収納されている。そして、制御回路ＩＶが収納されている中空部ＣＢの側と反対側の蛍光管２の端子と当該制御回路ＩＶとは、コネクタＣＮ３、並びに上述したように中空部ＣＢ内を通された接続線Ｗ１及び接続線Ｗ２を介して接続されている。これに対して制御回路ＩＶが収納されている中空部ＣＢの側の蛍光管２の端子とは、コネクタＣＮ４並びに接続線Ｗ３及び接続線Ｗ４を介して直接接続されている。このような制御回路ＩＶを用いた例えば従来と同様のインバータ方式により、外部交流電源ＡＣを源として蛍光管２の発光が制御される。また、実施形態に係る制御回路ＩＶには、ダィオードブリッジＢＤ１及びインバータ回路が含まれているため、蛍光灯ＬＴに対しては、交流１００ボルト又は交流２００ボルトの外部交流電源ＡＣを直接入力することが可能である。即ち蛍光灯ＬＴの使用に当たっては、従来の蛍光灯のように、整流回路及びインバータ回路を外部に別途設ける必要はない。
【００３６】
次に、特に制御回路ＩＶと、蛍光管２と、の接続状態と、蛍光灯ＬＴ全体の組立構造と、について、図４を用いてより具体的に説明する。
【００３７】
図４に示すように蛍光管２は、カバー１０に内包された保持部６及びカバー１２に内包された保持部５により、外装管と中心軸が略一致するように保持されている。このとき、保持部５及び保持部６が、本発明に係る「保持部材」の一例に相当する。そして、外周部に複数の爪を有するスイーベルフック１２Ａと、スイーベルフック１２Ａを保護するスイーベルカバー１２Ｂと、を内包する外部カバー１３が、保持部５を内包するカバー１２に取り付けられ、この外部カバー１３によりダミーピン１５及びダミーピン１６が保持されている。一方、スイーベルフック１２Ａと同様に外周部に複数の爪を有するスイーベルフック１０Ａと、スイーベルフック１０Ａを保護するスイーベルカバー１０Ｂと、を内包する外部カバー１１が、保持部６を内包するカバー１０に取り付けられ、この外部カバー１１により電力入力ピン２０及び電力入力ピン２１が保持されている。
【００３８】
このとき、カバー１０及びカバー１２の外側端面には、それぞれ、スイーベルフック１０Ａの爪及びスィーベルフック１２Ａの爪と噛み合う歯車状の噛み合わせ部が形成されている。そしてこの構造により、蛍光灯ＬＴを後述する取付装置に取り付ける際に外部カバー１１及び外部カバー１３を回転させることで、当該取付装置に対する蛍光灯ＬＴの中心軸周りの取付角度が変更可能となる。即ち実施形態に係る蛍光灯ＬＴでは、上記スィーベルフック１０Ａ及びスイーベルフック１２Ａそれぞれの外周部の爪と、カバー１０及びカバー１２の端面に形成された上記噛み合わせ部と、の間の噛み合わせ位置を取付装置への取り付け時に変えることで、蛍光灯ＬＴを取り付けた際の反射シート４の周方向の位置を変更し、これにより、蛍光管２からの発光の反射方向が変更可能とされている。このとき上記スイーベルフック１０Ａ及びスイーベルフック１２Ａが、本発明に係る「変更手段」の一例に相当する。
【００３９】
一方、上記中空部ＣＢには上述したように制御回路ＩＶが収納されており、この制御回路ＩＶが電力入カピン２０及び電力入力ピン２１に接続されている。他方制御回路ＩＶは、コネクタＣＮ４並びに接続線Ｗ３及び接続線Ｗ４を介して蛍光管２の一端に接続されると共に、コネクタタＣＮ３並びに中空部ＣＢ内を通された接続線Ｗ１及び接続線Ｗ２を介して、蛍光管２の他端に接続されている（図３参照）。また、カバー１３に取り付けられるダミーピン１５及びダミーピン１６は上述したように制御回路ＩＶからは絶縁されており、蛍光管２を含む外装管を、蛍光灯ＬＴとしての取り付け位置に保持する役割のみを果たしている。
【００４０】
（II）蛍光灯ＬＴの取り付け方法の実施形態
次に、実施形態に係る蛍光灯ＬＴの取り付け方法について、図５を用いて説明する。なお図５では、以下の説明に関連する部材以外の部材は、記載を省略している。
【００４１】
実施形態に係る蛍光灯ＬＴを室内の例えば天井に取り付ける場合において、先ず、その天井の取り付け位置５０の下面が水平である場合を考える。この場合に蛍光灯ＬＴは、取付装置５１の穴に電力入力ピン２０及び電力入力ピン２１（又はダミーピン１５及びダミーピン１６。以下、同様。）が挿入されて取り付けられる。このときには図５（ａ）に例示するように、電力入力ピン２０と電力入力ピン２１とを結ぶ線ＶＬは水平となるため、結果として、実施形態に係る反射シート４と電力入力ピン２０及び電力入力ピン２１との間の位置関係は図５（ａ）に例示するものとなり、蛍光管２からの光Ｌは取り付け位置５０に対して真下方向に照射される。これは、蛍光灯ＬＴの取り付けとしては望ましい態様である。
【００４２】
一方一般には、取り付け位置６０が図５（ｂ）に例示するように山型（いわゆる逆富士型）となり、二つの蛍光灯が平行に取り付けられる場合がある。そしてこの場合の取付装置６１及び取付装置６２において、実施形態に係る蛍光灯ＬＴ１及び蛍光灯ＬＴ２をそのまま取り付けるとすると、蛍光灯ＬＴ１及び蛍光灯ＬＴ２それぞれにおける電力入力ピン２０と電力入力ピン２１とを結ぶ線ＶＬは、図５（ｂ）に例示するように水平とはならない。この状態で図５（ａ）に例示する蛍光灯ＬＴと同様の蛍光灯ＬＴ１及び蛍光灯ＬＴ２を取付装置６１及び取付装置６２にそれぞれ取り付けると、それぞれの反射シート４により反射された光Ｌは、それぞれ、取り付け位置６０の各斜面にそれぞれ垂直な方向（つまり、図５（ｂ）において左右に拡がる方向）に照射される。そしてこの場合は、取り付け位置６０の直下においては、図５（ａ）に例示する場合に比して暗くなってしまう。
【００４３】
そこで図５（ｂ）に例示される取り付け位置６０の取付装置６１及び取付装置６２に実施形態に係る蛍光灯ＬＴ１及び蛍光灯ＬＴ２をそれぞれ取り付ける場合には、それぞれにおける上記スイーベルフック１０Ａ及びスイーベルフック１２Ａの外周部の爪と、カバー１０及びカバー１２の端面に形成された上記噛み合わせ部と、の間の噛み合わせ位置を変更する。これにより、蛍光灯ＬＴ１及び蛍光灯ＬＴ２それぞれを取り付けた際の反射シート４の周方向の位置を例えば図５（ｂ）に例示するように変更する。この反射シート４の周方向の位置の変更により、各蛍光管２からの発光の反射方向が変更され、結果的に、蛍光灯ＬＴ１及び蛍光灯ＬＴ２それぞれから、取り付け位置６０の真下方向に光Ｌが照射され、これにより、取り付け位置６０の真下でも十分な明るさ（照度）が得られる。
【００４４】
以上それぞれ説明したように、実施形態に係る蛍光灯ＬＴの構造によれば、それぞれに縦割り円柱形状を有する第１外装部材１と第２外装部材３とにより構成される外装管の内側に位置するように蛍光管２が保持されており、第１外装管１が蛍光管２からの光を透過すると共に第２外装管３が金属製とされている。よって、例えば撓み等の経年変化による外装管の変形を防止しつつ、外装管より細い蛍光管２を内部に位置させて発光させることで、簡易な構造で且つ従来と同様の占有体積により発光する、省電力且つ長寿命な蛍光灯ＬＴを得ることができる。また、第２外装部材３を金属製とすることで、蛍光灯ＬＴ全体としての放熱性の向上が期待できる。更に、蛍光灯ＬＴ全体としての変形が防止できることから、蛍光管２の発光に起因する電気的な雑音の金属製の第２外装管３による抑制効果を、長期間持続させることができる。
【００４５】
また、第２外装部材３が中空部ＣＢを有するので、外装管の断面全体としてみた場合に第１外装部材１よりも第２外装部材３が厚くなり、且つ第２外装部材３が金属製であることから、より長期間変形し難い蛍光灯ＬＴを得ることができる。
【００４６】
更に、金属製の第２外装部材３の中空部ＣＢ内に発光制御用の制御回路ＩＶが収納されているので、蛍光管２の発光による制御回路ＩＶに対する雑音等を効果的に抑制することができる。
【００４７】
更にまた、第１外装部材１が耐熱性樹脂材料により形成されているので、第２外装部材３が金属製であることと相まって、例えばガラス製の従来の管に比して、落下等による破損の際に破片が飛散することを防止できる。
【００４８】
また、蛍光管２と第２外装部材３との間の蛍光管２の長手方向に、導電性材料により形成され且つ蛍光管２からの光を反射し、更に接地された反射面を備える反射シート４を延在させるので、蛍光灯ＬＴとしての光量を増大させつつ、当該発光による雑音等を抑制することができる。更に外装管を含む蛍光灯ＬＴ自体の変形が防止されることから、反射シート４による雑音等の抑制効果を長期間持続させることができる。なおこの抑制効果についてより具体的には、実施形態に係る蛍光灯ＬＴが、電子インバータ式の蛍光灯として、いわゆるＣＩＳＰＲ（Comite international Special des Perturbations Radioelectriques）１５規格に初めて適合していることを、本発明の発明者らは確認している。
【００４９】
更にまた、反射シート４の反射面による光Ｌの反射方向が変更できるので、蛍光灯ＬＴの取り付け状態に応じて最適な光量を得ることができる。
【００５０】
また、Ｔ８型の蛍光灯と同一の外径を有する外装管の中にT５型の蛍光管２が収納されているので、従来のＴ８型の蛍光管に比して省エネルギーを実現しつつ、当該Ｔ８型の蛍光管と同様の占有体積で使用することができる。
【００５１】
また、蛍光灯ＬＴの一端に制御回路ＩＶから絶縁されたダミーピン１５及びダミーピン１６を備え、他端に備えられた電力入力ピン２０及び電力入力ピン２１からのみ制御回路ＩＶに発光用の電力を供給する。よって、両端から電力を供給する形式の従来の蛍光灯用の取付装置に誤って蛍光灯ＬＴが取り付けられた場合でも、その取付装置からの電力の供給を蛍光灯ＬＴの一端において遮断することで、不測の事故を未然に防止できる。なお、蛍光灯ＬＴを取付装置に保持する方法が他にあるのであれば、実施形態に係る電力入力ピン２０及び電力入力ピン２１並びにダミーピン１５及びダミーピン１６を、取付装置の位置に蛍光灯ＬＴを位置決めするためにのみ用いられるように構成してもよい。この場合でも、電力入力ピン２０及び電力入力ピン２１のみが制御回路ＩＶに接続され、ダミーピン１５及びダミーピン１６は制御回路ＩＶからは絶縁される。
【００５２】
（III）変形形態
次に、本発明に係る変形形態について説明する。
【００５３】
先ず上述した実施形態では、第２外装部材３が金属製である場合について説明したが、これ以外に、蛍光灯ＬＴ全体としての撓み等が防止できる程度の予め設定された強度を有するのであれば、第２外装部材３を金属以外の材料で形成することもできる。この場合の金属以外の材料としてより具体的に例えば、ガラス質の材料や、金属を混入させた樹脂材料により、第２外装部材３を形成することもできる。
【００５４】
また上述した実施形態では、反射シート４の反射面を導電性材料により形成する場合について説明したが、例えば制御回路ＩＶ自体として接地が十分に取れるのであれば、当該反射面としては必ずしも導電性材料により形成されている必要はない。
【００５５】
更に上述した実施形態では、直管形の蛍光灯に本願を適用した場合について説明したが、これ以外に、例えばサークライト形やＵ字形の蛍光灯に本発明を適用することもできる。
【００５６】
更にまた上述した実施形態の蛍光灯ＬＴの構成において、例えば蛍光管２と制御回路ＩＶとの寿命の差等に起困して、例えば蛍光管２の寿命の方が短い場合、外装管及び制御回路ＩＶ等はそのままに、蛍光管２のみを簡易に交換可能な構成とすることもできる。この場合は、寿命が到来した蛍光管２以外の部材を再利用できるので、資源節約の要請等に対してより貢献することができる。
【００５７】
また上述した実施形態では、蛍光管２を備える蛍光灯ＬＴに対して本発明を適用した場合について説明したが、本発明に係る外装管内に備えられる発光管については、蛍光管２以外に他の発光形式の発光管を用いることも可能である。
【産業上の利用可能性】
【００５８】
以上それぞれ説明したように本発明は、照明器具、特に蛍光灯の分野に利用することが可能であり、特に、従来の蛍光灯よりも省エネルギーに、且つより安全に使用することを目的とする蛍光灯の分野に適用すれば、特に顕著な効果が得られる。
【符号の説明】
【００５９】
１    第１外装部材
２    蛍光管
３    第２外装部材
４    反射シート
１０、１２    カバー
１０Ａ、１２Ａ    スイーベルフック
１０Ｂ、１２Ｂ    スイーベルカバー
１１、１３    外部カバー
１５、１６    ダミーピン
２０、２１    電力入力ピン
３１    外殼
３２    内殻
５０、６０    取り付け位置
５１、６１、６２    取付装置
５５    制御ＩＣ
Ｌ    光
Ｚ    サージアブソーバ
ＬＴ、ＬＴ１、ＬＴ２    蛍光灯
ＣＢ    中空部
ＩＶ    制御回路
ＨＤ    ホルダ
Ｗ１、Ｗ２、Ｗ３、Ｗ４    接続線
Ｆ１    ヒューズ
Ｃ１、Ｃ２、Ｃ３、Ｃ４、Ｃ５、Ｃ６、Ｃ７、Ｃ８、Ｃ９、Ｃ１０、Ｃ１１、Ｃ１２、Ｃ１３、Ｃ１４    コンデンサ
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６    抵抗
Ｄ１、Ｄ２、Ｄ３、Ｄ４    ダイオード
Ｌ１、Ｌ２、Ｌ３    リアクタンス
ＢＤ１    ダイオードブリッジ
ＤＺ    ツェナーダイオード
Ｑ１、Ｑ２    スイッチング素子
ＣＮ３、ＣＮ４    コネクタ
【図１】
2015201451.tif 000003
【図２】
2015201451.tif 000004
【図３】
2015201451.tif 000005
【図４】
2015201451.tif 000006
【図５】
2015201451.tif 000007